(57)【要約】【課題】簡易な構成で乗かご内の加害者に犯罪行為の中止を早急に促すことのできるエレベータ装置の提供。【解決手段】乗かご１内に設置され、外部に設けられるインターホン親機との通話を可能とするインターホン子機呼び釦３と、乗かご１内に備えられる照明手段４と、乗かご戸５およびこの乗かご戸５と対向可能な乗り場戸にそれぞれ設けられる防犯窓６とを有するエレベータ装置において、インターホン子機呼び釦３の操作に応じて照明手段４を異常報知点灯、例えば点滅点灯させ、防犯窓６を介して乗り場の待ち客に乗かご１内の異常を報知するとともに、視覚的な変化により乗かご１内の加害者にも異常報知がなされたことを認識させ、犯罪行為の中止を早急に促す構成としている。【選択図】図１
2006096516.tif 000002
【特許請求の範囲】
【請求項１】
乗かご内に設置され、外部に設けられるインターホン親機との通話を可能とするインターホン子機呼び釦と、前記乗かご内に備えられる照明手段と、乗かご戸およびこの乗かご戸と対向可能な乗り場戸にそれぞれ設けられる防犯窓とを有するエレベータ装置において、
前記インターホン子機呼び釦の操作に応じて前記照明手段を異常報知点灯させ、前記防犯窓を介して前記乗り場の待ち客に前記乗かご内の異常を報知することを特徴とするエレベータ装置。
【請求項２】
前記異常報知点灯は、前記インターホン子機呼び釦の操作から前記乗かごの着床まで行われる第１の点滅速度での点滅点灯、および前記乗かごの着床に応じて行われる前記第１の点滅速度より早い第２の点滅速度での点滅点灯からなることを特徴とする請求項１記載のエレベータ装置。
【請求項３】
前記照明手段は、あらかじめ定められる所定時間、又は、前記インターホン親機の応答まで前記異常報知点灯を継続することを特徴とする請求項１記載のエレベータ装置。
【発明の詳細な説明】
【技術分野】
【０００１】
本発明は、エレベータ装置に係り、特に、エレベータの乗かご内にて発生する犯罪を外部に報知するエレベータ装置に関する。
【背景技術】
【０００２】
この種のものとして従来、乗かご内にて異常が発生した場合、被害者である乗客は乗かご内のインターホン子機呼び釦を操作することにより、このインターホン子機呼び釦の出力信号および異常検出手段の検出信号の双方により乗り場側の表示手段、すなわちデジタルインジケータにより乗かご内の異常発生を報知するものが提案されている。（例えば、特許文献１参照）。
【特許文献１】特開２００１−１２２５４６号公報（段落番号００１０〜００１８）
【発明の開示】
【発明が解決しようとする課題】
【０００３】
しかしながら、上述した従来のものでは、乗かご内にて発生した異常を乗り場側のデジタルインジケータにより外部に報知するものであることから、乗かご内の加害者は少なくともしばらくの間、異常報知が外部になされているか否かを知る由が無く、したがって犯罪行為の中止を早急に促すものとはならなかった。また、乗り場に異常発生を伝えるためデジタルインジケータを設置する必要があることから設備費が嵩むという問題もあった。
【０００４】
本発明は、上述した従来技術における実状からなされたもので、その目的は、簡易な構成で乗かご内の加害者に犯罪行為の中止を早急に促すことのできるエレベータ装置を提供することにある。
【課題を解決するための手段】
【０００５】
前記目的を達成するために、本発明の請求項１に係る発明は、乗かご内に設置され、外部に設けられるインターホン親機との通話を可能とするインターホン子機呼び釦と、前記乗かご内に備えられる照明手段と、乗かご戸およびこの乗かご戸と対向可能な乗り場戸にそれぞれ設けられる防犯窓とを有するエレベータ装置において、前記インターホン子機呼び釦の操作に応じて前記照明手段を異常報知点灯させ、前記防犯窓を介して前記乗り場の待ち客に前記乗かご内の異常を報知する構成としている。
【０００６】
このように構成した本発明の請求項１に係る発明は、前記乗かご内にて異常が発生した場合、被害者である乗客は前記乗かご内の前記インターホン子機呼び釦を操作する。これに応じて前記照明手段が前記異常報知点灯するとともに、この異常報知点灯は前記乗かご戸および乗り場戸の前記防犯窓を介して前記乗り場の待ち客に認知されるところと成る。また、前記照明手段の異常報知点灯という視覚的な変化により前記乗かご内の加害者にも異常報知がなされたことを認識させることから、犯罪行為の中止を早急に促すものとなる。
【０００７】
また、本発明の請求項２に係る発明は、前記異常報知点灯は、前記インターホン子機呼び釦の操作から前記乗かごの着床まで行われる第１の点滅速度での点滅点灯、および前記乗かごの着床に応じて行われる前記第１の点滅速度より早い第２の点滅速度での点滅点灯からなる構成としている。
【０００８】
このように構成した本発明の請求項２に係る発明は、前記インターホン子機呼び釦の操作に応じ、この操作から前記乗かごの着床まで第１の点滅速度での点滅点灯し、次いで、前記乗かごが着床すると前記第１の点滅速度より早い第２の点滅速度で点滅点灯する。このように前記乗かごの着床およびそれに続く開扉時により速い速度で前記照明手段を点滅点灯することにより、前記乗かご内の加害者に心理的な負担を掛け、前記乗かご内から離れることを促す効果を挙げることができる。
【０００９】
さらに、本発明の請求項３に係る発明は、前記照明手段は、あらかじめ定められる所定時間、又は、前記インターホン親機の応答まで前記異常報知点灯を継続する構成としている。
【００１０】
このように構成した本発明の請求項３に係る発明は、前記インターホン子機呼び釦の操作からあらかじめ定められる所定時間、又は、前記インターホン子機呼び釦の操作から前記インターホン親機の応答まで前記異常報知点灯を継続することにより、必要な防犯効果を挙げ、かつ不必要に前記異常報知点灯を継続して他の利用客の不安を煽ることを防止することができる。
【発明の効果】
【００１１】
本発明によれば、照明手段の異常報知点灯という視覚的な変化により乗かご内の加害者にも異常報知がなされたことを認識させることから、犯罪行為の中止を早急に促すものとなる。特に、照明手段を用いた異常報知であることから犯罪の発生率の高い夜間にその効果を発揮することができる。また、従来のように特別な装置を要することなく、既存の照明手段を活用して異常報知を行うことができることから、安価な費用で防犯性能を高めることができる。
【発明を実施するための最良の形態】
【００１２】
以下、本発明に係るエレベータ装置の実施形態を図に基づいて説明する。
【００１３】
図１は本発明のエレベータ装置の実施形態を示す構造図、図２は図１のエレベータ装置の動作処理手順を示すフローチャートである。
【００１４】
本実施形態のエレベータは図１に示すように、乗かご１内のかご内操作盤２に設置され、外部に設けられる図示しないインターホン親機との通話を可能とするインターホン子機呼び釦３と、乗かご１内に備えられる照明手段４と、乗かご戸５およびこの乗かご戸５と対向可能な図示しない乗り場戸にそれぞれ設けられる防犯窓６と、かご内操作盤２の操作に応じてエレベータを制御する制御手段、例えば中央演算処理部７と、この中央演算処理部７の指令に基づき照明手段４を制御するかご照明回路８とを備えている。
【００１５】
本実施形態では図２に示すように、手順Ｓ１で乗かご１内にて異常が発生し、被害者である乗客が乗かご１内のインターホン子機呼び釦３をすると、手順Ｓ２として中央演算処理部７はかご照明回路８を介して照明手段４を異常報知点灯する。すなわち照明手段４は常時点灯から第１の点滅速度での点滅点灯へと切り換えられ、この異常報知点灯は乗かご戸５および乗り場戸の防犯窓６を介して乗り場の待ち客に認知されるところと成る。なお、この第１の速度での点滅点灯はインターホン子機呼び釦３の操作から乗かご１の着床まで続けられる。
【００１６】
次いで、乗かご１が着床すると手順Ｓ３として中央演算処理部７はかご照明回路８を介して照明手段４を第１の点滅速度より早い第２の点滅速度で点滅点灯させ、乗かご１内の加害者に心理的な負担を掛け、乗かご１内から離れることを促す。この後、手順Ｓ４に示すように例えばインターホン子機呼び釦３の呼び出し信号に応じて外部に設けられた図示しない親機により応答があると、手順Ｓ５として中央演算処理部７により照明装置４は点滅点灯から常時点灯へと切り換えられ、異常通報点灯を終了する。
【００１７】
なお、本実施形態では手順Ｓ４で親機による応答により照明手段４の異常通報点灯を常時点灯へと切り換えた例を示したが、この異常通報点灯はあらかじめ定められる所定時間を経過すると終了し、照明手段４は常時点灯へと切り換えられる。
【００１８】
本実施形態によれば、照明手段４の異常報知点灯という視覚的な変化により乗かご１内の加害者にも異常報知がなされたことを認識させることから、犯罪行為の中止を早急に促すものとなる。特に、照明手段４を用いた異常報知であることから犯罪の発生率の高い夜間にその効果を発揮することができる。また、従来のように特別な装置を要することなく、既存の照明手段４を活用して異常報知を行うことができることから、安価な費用で防犯性能を高めることができる。さらに、照明装置４を異常通報点灯として第１の点滅速度で点滅点灯させるとともに、乗かご１の着床およびそれに続く開扉時により速い第２の点滅速度で点滅点灯させることにより、乗かご１内の加害者に心理的な負担を掛け、乗かご１内から離れることを促す効果を挙げることができる。また、インターホン子機呼び釦３の操作からあらかじめ定められる所定時間、又は、インターホン子機呼び釦３の操作からインターホン親機の応答まで異常報知点灯を継続することにより、必要な防犯効果を挙げ、かつ不必要に異常報知点灯を継続して他の利用客の不安を煽ることを防止することができる。
【図面の簡単な説明】
【００１９】
【図１】本発明のエレベータ装置の実施形態を示す構造図である。
【図２】図１のエレベータ装置の動作処理手順を示すフローチャートである。
【符号の説明】
【００２０】
１    乗かご
２    かご内操作盤
３    インターホン子機呼び釦
４    照明手段
５    乗かご戸
６    防犯窓
７    中央演算処理部
８    かご照明回路
【図１】
2006096516.tif 000003
【図２】
2006096516.tif 000004